(57)【要約】      （修正有）【課題】水田の水位の調節が容易にでき、凍害を受けにくく、寸法のオーダーメイドが可能であり、耐用年数後の廃棄時に再利用が可能な農地の湛水深制御枡を提供する。【解決手段】湛水深制御枡は、底面板１Ｅと背面板１Ｂと一対の側面板１Ｃ１，１Ｃ２とを具備するとともに、正面１Ａが開口しかつ左右の正面開口側縁１Ａ１，１Ａ２が上方に向かって背面側に傾斜する筐体と、左右の正面開口側縁に沿って連設された断面Ｌ字状の一対の蓋受け部１Ｆ１，１Ｆ２と、筐体に設けられた排水口１Ｈと、を有する金属製の枡本体１と、枡本体の開口を部分的に覆うように配置されかつ一対の蓋受け部により支持される、上蓋板２Ａと下蓋板２Ｂとを有する合成樹脂製の蓋部２、を備える。上蓋板を下蓋板の裏面側に重なるようにスライドさせて水田の水位を調節する。【選択図】図１
0003198990.tif 000002
【実用新案登録請求の範囲】
【請求項１】
水田の水位を調節するための農地の湛水深制御枡において、
底面板（1E）と背面板（1B）と一対の側面板（1C1,1C2）とを具備するとともに正面（1A）が開口しかつ左右の正面開口側縁（1A1,1A2）が上方に向かって背面側に傾斜する筐体と、左右の前記正面開口側縁（1A1,1A2）に沿ってそれぞれ連設された断面Ｌ字状の一対の蓋受け部（1F1,1F2）と、前記筐体に設けられた排水口（1H）と、を有する金属製の枡本体（1）と、
前記枡本体（１）の開口を部分的に覆うように配置されかつ一対の前記蓋受け部（1F1,1F2）により支持される、上蓋板（2A）と下蓋板（2B）とを有する合成樹脂製の蓋部（2）と、を備え、
前記上蓋板（2A）を前記蓋受け部（1F1,1F2）に沿って前記下蓋板（2B）の裏面側に重なるようにスライドさせることにより水田の水位を調節することを特徴とする
農地の湛水深制御枡。
【請求項２】
前記正面開口側縁（1A1,1A2）の傾斜角度が、前記底面板（1E）に対して６０°〜７０°であることを特徴とする
請求項１に記載の農地の湛水深制御枡。
【請求項３】
前記下蓋板（2B）の裏面（2B2）の左右両縁のうち少なくとも一方に沿ってガイド部（2B31,2B32）を具備し、前記上蓋板（2A）は、前記ガイド部（2B31,2B32）に沿ってスライドすることを特徴とする
請求項１又は２に記載の農地の湛水深制御枡。
【請求項４】
前記上蓋板（2A）の上部に取り付けられかつ横幅方向中央に回動軸を具備する長方形の係止板（2C1）を有し、前記係止板（2C1）を回動させてその一対角線上の２つの頂点を一対の前記蓋受け部（1F1,1F2）に当接させて係止させることにより、前記上蓋板（2A）を固定することを特徴とする
請求項１〜３のいずれかに記載の農地の湛水深制御枡。
【請求項５】
前記下蓋板（2B）の下縁が、前記枡本体（1）の開口の下縁に取り付けられた断面Ｌ字状の下蓋板支持部（1G）により支持されることを特徴とする
請求項１〜４のいずれかに記載の農地の湛水心制御枡。
【請求項６】
前記排水口（1H）が、前記背面板（1B）、前記一対の側面板（1C1,1C2）又は前記底面板（1E）のいずれかに穿設された孔に取り付けられることを特徴とする
請求項１〜５のいずれかに記載の農地の湛水心制御枡。
【考案の詳細な説明】
【技術分野】
【０００１】
本考案は、水田の水位を高い精度で調節するための農地の湛水深制御枡に関する。
【背景技術】
【０００２】
水田は、水稲の生育段階や外気温などにより、水位を細かく調節することが必要である。例えば、植え付け直後には水位を浅くし、外気温が低いときには深くするなど、微妙な調節が求められる。
【０００３】
従来、排水枡側壁の前側（水田側）に縦方向に設けられた溝に高さの異なる複数の板を組み合わせてはめ込むことにより、所望する水位に調節していた。しかしこの方法は、板の組み合わせであるため細かな水位の調節ができないという問題があった。また、組み合わせた板に泥を塗って板の目張りをするなどしなければならないため、特に何枚もの水田を持つ農家にとっては手間のかかる作業となっていた。
【０００４】
このような問題を解決するため、特許文献１では、水位調整板をスライドさせることにより簡単な操作でミリ単位の水位調整をすることができる水田用水位調整枡及び水位調整方法が提案されている。
【先行技術文献】
【特許文献】
【０００５】
【特許文献１】特許第４８１７１５９号公報
【考案の概要】
【考案が解決しようとする課題】
【０００６】
上述した特許文献１の水田用水位調整枡及び水位調整方法では、容易に細かい水位調節ができるものの、枡がコンクリート製であるため、凍害によるひび割れの問題がある。またコンクリートは型枠成形するため、規格サイズのものしか作ることができないが、実際の水田は畔幅などが様々であり、規格サイズの枡の設置が困難な場合がある。さらに、耐用年数の経過後は産業廃棄物として廃棄しなければならず、環境に負荷がかかる。
【０００７】
本考案の目的は、水田の水位の調節が容易にでき、凍害を受けにくく、寸法のオーダーメイドが可能であり、耐用年数後の廃棄時に再利用が可能な、農地の湛水深制御枡を提供することである。
【課題を解決するための手段】
【０００８】
上述した課題を解決するために、本考案は以下の構成を有する。なお、括弧内の数字は、後述する図面中の符号であり、参考のために付するものである。
【０００９】
本考案の態様は、湛水深制御枡であって、
水田の水位を調節するための農地の湛水深制御枡において、
底面板（1E）と背面板（1B）と一対の側面板（1C1,1C2）とを具備するとともに正面（1A）が開口しかつ左右の正面開口側縁（1A1,1A2）が上方に向かって背面側に傾斜する筐体と、左右の前記正面開口側縁（1A1,1A2）に沿ってそれぞれ連設された断面Ｌ字状の一対の蓋受け部（1F1,1F2）と、前記筐体に設けられた排水口（1H）と、を有する金属製の枡本体（1）と、
前記枡本体（1）の開口を部分的に覆うように配置されかつ一対の前記蓋受け部（1F1,1F2）により支持される、上蓋板（2A）と下蓋板（2B）とを有する合成樹脂製の蓋部（2）と、を備え、
前記上蓋板（2A）を前記蓋受け部（1F1,1F2）に沿って前記下蓋板（2B）の裏面側に重なるようにスライドさせることにより水田の水位を調節することを特徴とする。
【００１０】
上記態様において、前記正面開口側縁（1A1,1A2）の傾斜角度が、前記底面板（1E）に対して６０°〜７０°であることを特徴とする。
【００１１】
上記態様において、前記下蓋板（2B）の裏面（2B2）の左右両縁のうち少なくとも一方に沿ってガイド部（2B31,2B32）を具備し、前記上蓋板（2A）は、前記ガイド部（2B31,2B32）に沿ってスライドすることを特徴とする。
【００１２】
上記態様において、前記上蓋板（2A）の上部に取り付けられかつ横幅方向中央に回動軸を具備する長方形の係止板（2C1）を有し、前記係止板（2C1）を回動させてその一対角線上の２つの頂点を一対の前記蓋受け部（1F1,1F2）に当接させて係止させることにより、前記上蓋板（2A）を固定することを特徴とする。
【００１３】
上記態様において、前記下蓋板（2B）の下縁が、前記枡本体（1）の開口の下縁に取り付けられた断面Ｌ字状の下蓋板支持部（1G）により支持されることを特徴とする。
【００１４】
上記態様において、前記排水口（1H）が、前記背面板（1B）、前記一対の側面板（1C1,1C2）又は前記底面板（1E）のいずれかに穿設された孔に取り付けられることを特徴とする。
【考案の効果】
【００１５】
本考案による湛水深制御枡によれば、必要に応じ簡便な操作で水田の水深を細かく調節することができる。
【００１６】
本考案によれば、コンクリート製と異なり凍害を受けにくく、寸法のオーダーメイドが可能である。また、将来の耐用年数後の廃棄時に金属資源として再利用が可能である。
【図面の簡単な説明】
【００１７】
【図１】図１は、本考案による農地の湛水深制御枡の第１の実施形態における構成例を概略的に示した全体斜視図である。
【図２】図２（ａ）（ｂ）（ｃ）（ｄ）は、図１に示した構成例の枡本体の正面図、側面図及び断面図である
【図３】図３（ａ１）（ａ２）（ａ３）は、図１に示した構成例の蓋部の正面図、上面図及び側面図である。
【図４】図４（ａ）（ｂ）は、図１に示した構成例の使用状態及び水田への設置状態を説明するための図である。
【図５】図５（ａ）（ｂ）（ｃ１）（ｃ２）（ｄ１）（ｄ２）（ｄ３）は、本考案の第２の実施形態の構成例を概略的に示した図である。
【図６】図６（ａ１）（ａ２）（ｂ１）（ｂ２）（ｂ３）（ｃ１）（ｃ２）は、本考案の第３の実施形態の構成例の概略的に示した図である。
【考案を実施するための形態】
【００１８】
以下、図面を参照しつつ、本考案の実施形態に係る農地の湛水深制御枡について詳細に説明する。なお、各図面において共通又は類似する構成要素については同じ符号を付している。
【００１９】
図１は、本考案による農地の湛水深制御枡の第１の実施形態における構成例を概略的に示した全体斜視図である。図２（ａ）（ｂ）は、図１に示した湛水深制御枡の枡本体１の正面図及び側面図であり、（ｃ）は（ａ）のＩ−Ｉ断面を、（ｄ）は（ａ）のII−II断面を示す図である。図３（ａ１）（ａ２）（ａ３）は、図１に示した湛水深制御枡の蓋部における上蓋板及び下蓋板の正面図、上面図及び側面図である。
【００２０】
図１に示すように、湛水深制御枡１０は、枡本体１と、蓋部２とから構成されている。枡本体１は、それぞれ四角形平板である底面板１Ｅ及び背面板１Ｂと、台形平板である一対の側面板１Ｃ１、１Ｃ２とを少なくとも具備し、四角形である正面１Ａが開口した筐体を有する。背面板１Ｂ及び側面板側面板１Ｃ１、１Ｃ２は、底面板１Ｅに対して直角に起立している。正面開口の左右にそれぞれ位置する正面開口側縁１Ａ１、１Ａ２は、上方に向かって背面側に傾斜している。図２（ｃ）に示すこの傾斜角度αは、底面板１Ｅに対して好適には６０°〜７０°である。しかしながら、傾斜角度αはこの範囲に限定されるものではない。
【００２１】
蓋部２は、上蓋板２Ａ及び下蓋板２Ｂから構成され、枡本体１の正面２Ａの開口を部分的に覆うように配置される。枡本体１の正面開口側縁１Ａ１、１Ａ２に沿って、断面Ｌ字状の曲げ板からなる一対の蓋受け部１Ｆ１、１Ｆ２がそれぞれ連設されている。すなわち、これらの蓋受け部１Ｆ１、１Ｆ２は、正面開口側縁１Ａ１、１Ａ２と同じ角度で傾斜している。これらの蓋受け部１Ｆ１、１Ｆ２は、上蓋板２Ａ及び下蓋板２Ｂの左右側縁近傍を支持しかつガイドする役割を担う。好適には、蓋受け部１Ｆ１、１Ｆ２は溶接により筐体に接合される。図示しないが、別の例として、ボルト・ナット結合による連結も可能である。図２（ｄ）に示すように、Ｌ字状断面を構成する２つの面のうち第１面１Ｆ１１、１Ｆ２１は、一対の側面板１Ｃ１、１Ｃ２に対して直角に左右方向にそれぞれ延在する。第２面１Ｆ１２、１Ｆ２２は、第１面１Ｆ１１、１Ｆ２１の外縁からそれぞれ直角に前方に延在する。
【００２２】
好適には、正面開口１Ａの下縁に、断面Ｌ字状の曲げ板からなる下蓋板支持部１Ｇが設けられる。下蓋板支持部１Ｇは、蓋受け部１Ｆの蓋受け機能を補強するために設けられる。L字状断面を構成する第１面１Ｇ１は、正面開口１Ａの下縁（底面板１Ｅの前縁）から、正面開口側縁１Ａ１、１Ａ２と同じ角度で上方に向かって背面側に傾斜して延在する。第２面１Ｇ２は、第１面１Ｇ１に対して直角に前方に延在する。
【００２３】
さらに、背面板１Ｂの下部に排水口１Ｈを有する。排水口１Ｈは、枡本体１の筐体に穿設された円形孔と、孔周囲に取り付けられ筐体の外側に延在する円筒部材とから構成されている。
【００２４】
図示の例では、排水口１Ｈは、背面板１Ｂの下部に設けられているが、側面板１Ｃ１、１Ｃ２に設けられてもよく、また、底面板１Ｅに設けてもよい。排水口１Ｈを背面板１Ｂに設けた場合は、排水口１Ｈに例えばエルボ型パイプ部品を取り付けることができる。排水口１Ｈを底面板１Ｅに設けた場合は、塩化ビニル管を排水口１Ｈから内部に挿入して鉛直に延ばすことにより、水位を設定できる。
【００２５】
本考案では枡本体１の材質は金属であり、例えば鉄板に亜鉛メッキをしたものが挙げられる。切断、曲げ、溶接等の加工適性があり錆に強いものであればほかの金属でもよい。また、本考案では枡本体１の大きさは限定しない。金属の加工適性を生かし、設置場所に応じて寸法のオーダーメイドが可能である。
【００２６】
図示の例では、蓋受け部１Ｆ１、１Ｆ２は正面開口側縁１Ａ１から外側に突出して設けられているが、正面開口側縁１Ａ１の内側に設けてもよい。
【００２７】
また、図示の例では、枡本体１の上面に上面板１Ｄが設けられているが、必須の構成要素ではない。上面板１Ｄを設けない場合、側面板１Ｃ１、１Ｃ２の外郭形状を台形とする替わりに略直角三角形としてもよい。
【００２８】
図１及び図３に示すように、蓋部２は、上蓋板２Ａと、下蓋板２Ｂとで構成される。上蓋板２Ａ及び下蓋板２Ｂは、その左右の側縁近傍部分が、蓋受け部１Ｆ１、１Ｆ２の第１面１Ｆ１１、１Ｆ２１上で支持され、蓋受け部１Ｆ１、１Ｆ２に沿って移動させることが可能である。蓋受け部１Ｆ１、１Ｆ２の第２面１Ｆ１２、１Ｆ２２は、この上蓋板２Ａ及び下蓋板２Ｂの移動をガイドする。すなわち、上蓋板２Ａ及び下蓋板２Ｂは、正面開口側縁１Ａ１、１Ａ２と同じ角度で傾斜して配置されかつ移動することができる。さらに、好適には、下蓋板２Ｂの下縁近傍部分が、下蓋板支持部１Ｇの第１面１Ｇ１により支持される。これにより、下蓋板２Ｂの下部が土圧による撓みや歪みを生じることなく平坦さを維持することができる。
【００２９】
図示の例では、上蓋板２Ａと下蓋板２Ｂは、同じ寸法の長方形状の平板である。上蓋板２Ａ及び下蓋板２Ｂの材質は、例えば塩化ビニルが挙げられるが、他の合成樹脂素材でもよく、加工適性及び耐久性があり、強度の高い素材であることが好ましい。
【００３０】
図４（ａ）は、図１に示した湛水深制御枡を用いて水田の水位を制御する使用状態を説明するための図である。なお上述した図１では、上蓋板２Ａの下縁と下蓋板２Ｂの上縁が同じ位置にあり、これが最高水位の制御位置となる。水田の水位を、最高水位よりも低い所望する水位に制御する場合、上蓋板２Ａを、蓋受け部１Ｆ１、１Ｆ２に沿って下蓋板２Ｂの裏面側に重なるようにスライドさせる（矢印参照）。これにより、上蓋板２Ａの上縁の位置が変わることにより、水位を調節することができる。
【００３１】
図４（ｂ）は、（ａ）のように蓋部２を調節した制御枡を水田へ設置した状態を概略的に示した図である。枡本体１は、正面開口を水田側に向け、背面板を畔側に向けて設置する。なお、下蓋板２Ｂの上縁付近に水田の土Ｓの表面が位置するように設置する。
【００３２】
上蓋板２Ａ及び下蓋板２Ｂは、土Ｓ及び／又は水Ｗからの土圧及び／又は水圧により蓋受け部１Ｆ１、１Ｆ２に対して押し付けられる。上蓋板２Ａは、蓋受け部１Ｆ１、１Ｆ２と密着する。下蓋板２Ｂは、蓋受け部１Ｆ１、１Ｆ２、下蓋板支持部１Ｇ、及び上蓋板２Ａと密着する。蓋部２は、所定の柔軟性を備えた材質で形成されるので、圧力により適度に変形して蓋受け部に密着することが可能である。これにより下蓋板２Ｂの下縁から上蓋板２Ａの上縁までの部分からの漏水がない状態になる。また、上蓋板２Ａと下蓋板２Ｂが重なることで、圧力に対する耐力が増すため、大きな撓みや歪みを生じることなく平坦さを維持することができる。
【００３３】
例えば、上蓋板２Ａを所望の高さに調節して水田に給水すると、上蓋板２Ａの上縁の位置まで水田に水Ｗがたまる。上蓋板２Ａの上縁を越える量の水は枡本体１の内部に流れ込み、排水口１Ｈを通じて排水される（矢印参照）。
【００３４】
図５は、本考案による農地の湛水深制御枡の第２の実施形態の構成例を概略的に示した図であり、（ａ）は正面図、（ｂ）は（ａ）のＩＩＩ−ＩＩＩ断面図、（ｃ１）（ｃ２）は（ａ）に示した構成の上蓋板の正面図及び上面図、（ｄ１）（ｄ２）（ｄ３）は（ａ）に示した構成の下蓋板の正面図、背面図及び上面図である。
【００３５】
第２の実施形態では、下蓋板２Ｂの裏面２Ｂ２の左右側縁に沿ってガイド部２Ｂ３１、２Ｂ３２が設けられている。各ガイド部は、所定の幅及び厚さの突条であり、左右側縁のほぼ全長に延びている。一方、上蓋板２Ａの幅は、ガイド部２Ｂ３１、２Ｂ３２の幅の分だけ下蓋板２Ｂよりも狭くなっており、上蓋板２Ａをガイド部２Ｂ３１、２Ｂ３２に沿って上下にスライドすることができる。図示の例ではガイド部２Ｂ３１、２Ｂ３２は下蓋板裏面２Ｂ２の左右側縁に設けられているが、左側縁又は右側縁のみに設けてもよい。
【００３６】
図６は、本考案による農地の湛水深制御枡の第３の実施形態の構成例を概略的に示した図であり、（ａ１）は正面図、（ａ２）は（ａ１）に示した構成の蓋部の側面図、（ｂ１）（ｂ２）（ｂ３）は（ａ１）に示した構成の上蓋板の正面図、上面図及び側面図、（ｃ１）（ｃ２）は（ａ１）に示した構成の使用状態を説明するための正面図及び側面図である。
【００３７】
上蓋板表面２Ａ１の上部に、上蓋固定部２Ｃが設けられている。上蓋固定部２Ｃは、下蓋板２Ａの横幅に等しい横幅と適宜の縦幅をもつ長方形状の係止板２Ｃ１、係止板２Ｃ１の横幅方向の中央に設けられた回動軸２Ｃ２、及び係止板２Ｃ１の上端に設けられた持ち手２Ｃ３で構成される。
【００３８】
回動軸２Ｃ２は、係止板２Ｃ１及び上蓋板２Ａを貫いて設けられており、回動軸２Ｃ２を中心に上蓋固定部２Ｃを回動させることができる。持ち手２Ｃ３は上蓋板２Ａをスライドさせたり、係止板２Ｃ１を回動させたりするために設けられることが好ましいが、必須の構成要素ではない。
【００３９】
水位調節する際には、例えば、上蓋板２Ａを所望の高さまでスライドさせ、係止板２Ｃ１を回動させる。このとき、上蓋固定部２Ｃと上蓋板２Ａの上部を蓋受け部１Ｆ１、１Ｆ２から離して若干浮かせた状態にすることで係止板２Ｃ１を回動させることができる。回動後は、傾斜した係止板２Ｃ１の一対角線上の２つの頂点が蓋受け部１Ｆ１、１Ｆ２の第２面１Ｆ１２、１Ｆ２２にそれぞれ当接して係止されるようにする。これにより、上蓋板２Ａの高さを固定することができる。Ｐ１、Ｐ２は係止板２Ｃ１と蓋受け部の第２面１Ｆ１２、１Ｆ２２が当接する係止点を示す。
【００４０】
なお、図６の構成例では、上蓋板２Ａ及び下蓋板２Ｂを、図５に示した第２実施形態のものとしたが、図１に示した第１実施形態に適用することもできる。
【００４１】
以上に述べた本考案の各実施形態は一例を示したものであり、これら以外にも種々の公知技術を適用した多様な変形形態が可能であり、それらについても本考案に含まれるものとする。
【符号の説明】
【００４２】
１０、２０、３０：湛水深制御枡
１：枡本体
１Ａ：正面開口
１Ａ１：正面開口側縁
１Ｂ：背面板
１Ｃ１、１Ｃ２：側面板
１Ｄ：上面板
１Ｅ：底面板
１Ｆ１、１Ｆ２：蓋受け部
１Ｆ１１、１Ｆ２１：蓋受け部第１面
１Ｆ１２、１Ｆ２２：蓋受け部第２面
１Ｇ：下蓋板支持部
１Ｇ１：下蓋板支持部第１面
１Ｇ２：下蓋板支持部第２面
１Ｈ：排水口
２：蓋部
２Ａ：上蓋板
２Ａ１：上蓋板表面
２Ｂ：下蓋板
２Ｂ１：下蓋板表面
２Ｂ２：下蓋板裏面
２Ｂ３１、２Ｂ３２：ガイド部
２Ｃ：上蓋固定部
２Ｃ１：係止板
２Ｃ２：回動軸
２Ｃ３：持ち手
Ｐ１、Ｐ２：係止点
Ｗ：水
Ｓ：土
【図１】
0003198990.tif 000003
【図２】
0003198990.tif 000004
【図３】
0003198990.tif 000005
【図４】
0003198990.tif 000006
【図５】
0003198990.tif 000007
【図６】
0003198990.tif 000008